(57)【要約】【課題】貯水タンクからの水の溢れだしや取水口の浮かび上がりを防止すると共に、洗浄に適した水を利用することが可能な洗浄装置を提供する。【解決手段】水道の蛇口と貯水タンクとの間に活水器を設け、貯水タンクの給水口にロータンクボールタップを設ける。また、コンプレッサに供給する水を取水する取水口を固定するための取水口固定フックを貯水タンクに設ける。そして、活水器を介して水道水を貯水タンクに供給し、ロータンクボールタップを用いて貯水タンクにおける水の貯水量を一定に保つ。さらに、取水口固定フックを用いて取水口を貯水タンクに設置し、コンプレッサの動作に伴う取水口の浮かび上がりを防止する。  【選択図】  図３
0003108989.tif 000002
【実用新案登録請求の範囲】
【請求項１】
貯水タンクに水を貯え、該貯水タンクから水を取水してコンプレッサで加圧し、対象物に噴きつけて洗浄を行う洗浄装置において、
前記貯水タンクに供給する水から少なくとも塩素を除去する活水装置を具備し、
前記貯水タンクは、
該貯水タンクに貯められた水の貯水量を管理する水量制御手段と、
前記コンプレッサに供給する水を取水する取水口を固定する取水口固定フックと
を有する
ことを特徴とする洗浄装置。
【請求項２】
前記活水装置は、セラミック活水器であることを特徴とする請求項１記載の洗浄装置。
【考案の詳細な説明】
【技術分野】
【０００１】
本考案は、洗浄装置に関し、特に、高圧洗浄に適した洗浄装置に関する。
【背景技術】
【０００２】
住宅などの塗装を行う際、予め水を高圧で外壁などに噴きつけて高圧洗浄を行い、塗装箇所に付着した埃や汚れ、カビなどを除去している。
【０００３】
この高圧洗浄では、図８に示すように、まず、ポリバケツなどの貯水タンク１００に水道の蛇口１０１からホース１０２で水道水を給水して貯える。
【０００４】
そして、この貯水タンク１００に貯められた水道水を取水口１０３からコンプレッサ１０４で取水・加圧し、ノズル（図示しない）から勢いよく洗浄箇所に噴きつけて行う。
【考案の開示】
【考案が解決しようとする課題】
【０００５】
しかし、蛇口から貯水タンクにホースで水を引き、水が流れぱなしの状態で洗浄作業を行うため、貯水タンクから水が溢れだし、大量の水が無駄に流されていた。
【０００６】
また、コンプレッサが圧をかける度に取水口に接続したホースが動くため、貯水タンクの水面に取水口が浮かび上がり、コンプレッサの吸引ポンプに冷却水が廻らずに焼き付きが発生する場合があった。
【０００７】
さらに、塩素を含んだ水道水を貯水タンクに貯めて噴きつけるため、洗い流しには利用できるものの、洗浄水としては適しておらず、加えて、塩素は強酸性であるため、アルカリ性である外壁の性状が阻害される場合があった。
【０００８】
そこで本考案では、貯水タンクからの水の溢れだしや取水口の浮かび上がりを防止すると共に、洗浄に適した水を利用することが可能な洗浄装置を提供することを目的とする。
【課題を解決するための手段】
【０００９】
本考案における洗浄装置は、貯水タンクに水を貯え、該貯水タンクから水を取水してコンプレッサで加圧し、対象物に噴きつけて洗浄を行う洗浄装置において、前記貯水タンクに供給する水から少なくとも塩素を除去する活水装置を具備し、前記貯水タンクは、該貯水タンクに貯められた水の貯水量を管理する水量制御手段と、前記コンプレッサに供給する水を取水する取水口を固定する取水口固定フックとを有する。
【００１０】
この構成では、貯水タンクからの水の溢れ出しを防止すると共に、吸引ポンプの焼き付きを防止し、さらに、塩素を除去した水道水を貯水タンクに供給することができる。
【００１１】
また、好ましくは、前記活水装置としてセラミック活水器を用いる。セラミック活水器は、水の活性界面力を高めるため、塩素による外壁の劣化（酸化）を防止すると共に、洗浄力の高い水を貯水タンクに供給することができる。
【考案の効果】
【００１２】
本考案では、外壁の洗浄に適した洗浄装置を供給することができる。
【考案を実施するための最良の形態】
【００１３】
以下、本考案に係る洗浄装置を実施するための最良の形態について、添付図面を参照して詳細に説明する。
【００１４】
図１は、本考案における洗浄装置１の一例を示す側面図であり、図２は、洗浄装置を活水器ボックス側から見た図、図３は、洗浄装置１の断面図、図４は、洗浄装置の上面図、である。
【００１５】
そして、図１、２に示すように、貯水タンク２と、活水器ボックス３とが台車４上に設けられ、活水器ボックス３を設置する活水器ボックス設置台５には、取水用ホース（図示しない）をかけるフック６を設けられている。また、貯水タンク２には、残留水を抜くための水抜き用コック弁２０が設けられている。
【００１６】
貯水タンク２には、図３、４に示すように、給水口２１と、ロータンクボールタップ２２と、洗浄用アンプルを設置するためのアンプルフック２３と、コンプレッサに水を供給するためのホース（図示しない）を固定するための取水ホース固定フック２４と、取水口（図しない）を固定するための取水口固定フック２５とが設けられている。
【００１７】
ここで、ロータンクボールタップ２２は、図５(ａ)に示すように、貯水タンク２内の水が少ない場合は、給水口２１の開いて水の供給を可能とし、図５(ｂ)に示すように、一定量以上の水が貯まると給水口２１を閉じる。
【００１８】
このため、貯水タンクに貯められている水の量を一定に管理することが可能であり、貯水タンクから水が溢れ出すことを防止すると共に、コンプレッサの給水ポンプ等で水を取水するために必要な量の水を確保することができる。
【００１９】
そして、図６は、貯水タンク２に貯められた水をコンプレッサ（図示しない）に供給するための取水口２６と取水ホース２７とを設けた際の貯水タンクの断面図であり、同図に示すように、取水ホース２７はホース固定フック２４で固定され、取水口２６は取水口固定フック２５で固定される。
【００２０】
このため、コンプレッサが水に圧をかけることによる取水口の移動が防止され、貯水タンクからコンプレッサに水を取水する吸引ポンプに冷却水が廻らないことによる焼き付きの発生を防止することができる。
【００２１】
活水器ボックス３には、図７に示すように、活水器ボックス３には、活水器を設置するための活水器設置台３１が設けられており、この活水器設置台は、耐震ゴムからなり、活水器を載せるための凹部が設けられている。なお、図７(ａ)は、活水ボックスの側断面図であり、図７(ｂ)は、活水ボックスの上断面図、図７(ｃ)は、活水器設置台を示す斜視図である。
【００２２】
そして、塩素等をイオン化して無害化するセラミック活水器など、水道水に含まれる塩素などの有害物を無害化する活水装置３０が活水ボックス３に設置される。
【００２３】
ここで、セラミック活水器は、水分子の集団（クラスター）を細分化して活性界面力を高めるため、塩素による外壁の劣化（酸化）を防止すると共に、汚れを浮かして取る洗浄力の高い水を貯水タンクに供給することができる。
【００２４】
このため、塩素を除去した水道水を貯水タンクに供給することが可能であり、洗浄水として適した水を貯水タンクに貯えることができる。
【００２５】
さらに、セラミック活水器を利用することにより、塩素の除去に加えて、洗浄力の高い水を貯水タンクに貯えることができるため、アルカリ性である外壁の性状を阻害することのない洗浄力の高い水を貯水タンクに供給することができる。
【００２６】
上記構成を用いて、本考案における洗浄装置では、水道の蛇口などから供給させる水が、活水器ボックス内の活水装置を通過し、塩素などが無害化された水が貯水タンクに供給される。
【００２７】
そして、貯水タンクに貯えられた水が所定量を超えると、水によってロータンクボールタップの浮玉が浮かび上がり、貯水タンクへの水の給水を中止し、水の貯水量が減少すると、水の給水を再開する。
【００２８】
また、コンプレッサによる貯水タンクからの水の取水・加圧が開始されると、取水口固定フックによって取水口の浮き上がりを防止し、さらに、ホース固定フックによって取水ホースの移動が防止され、正常な浮玉の動作が確保される。
【００２９】
なお、本実施の形態では、ロータンクボールタップを用いて貯水タンクの貯水量を制御しているが、例えば、光学センサなどのセンサを用いて水量を管理し、電磁弁を用いて給水口の開閉を制御するなど、他の水量制御手段を用いて貯水量の管理を行っても良い。
【図面の簡単な説明】
【００３０】
【図１】本考案における洗浄装置の一例を示す側面図
【図２】洗浄装置を活水器ボックス側から見た図
【図３】洗浄装置の断面図
【図４】洗浄装置の上面図
【図５】取水口の動作を示す図
【図６】取水口と給水ホースとを設けた貯水タンクの断面図
【図７】活水器ボックス及び活水器設置台を示す図
【図８】従来の洗浄装置の一例を示す図
【符号の説明】
【００３１】
１…洗浄装置
２…貯水タンク
３…活水器ボックス
４…台車
５…活水器ボックス設置台
６…取水用ホースフック
２０…水抜き用コック弁
２１…給水口
２２…ロータンクボールタップ
２３…アンプルフック
２４…取水ホース固定フック
２５…取水口固定フック
２６…取水口
２７…取水ホース
３０…活水装置
３１…活水器設置台
１００…貯水タンク
１０１…蛇口
１０２…ホース
１０３…取水口
１０４…コンプレッサ
【図１】
0003108989.tif 000003
【図２】
0003108989.tif 000004
【図３】
0003108989.tif 000005
【図４】
0003108989.tif 000006
【図５】
0003108989.tif 000007
【図６】
0003108989.tif 000008
【図７】
0003108989.tif 000009
【図８】
0003108989.tif 000010